(57)【要約】【課題】暗号通信に用いる鍵を予測され難くする。【解決手段】送信側の情報伝送端末１において、測定部１６は、試料に含まれる複数の成分の量をそれぞれ測定する。取得部１１５は、測定部１６により測定された成分の量を示す情報を取得する。生成部１１１は、取得部１１５により取得された各成分の量に基づいて鍵を生成する。暗号化部１１２は、生成部１１１により生成された鍵を用いてデータを暗号化して暗号データを生成する。通信部１３は、暗号化部１１２により生成された暗号データを受信側の情報伝送端末１へ送信する。【選択図】図３
2013015252.tif 000002
【特許請求の範囲】
【請求項１】
試料に含まれる一以上の成分についての情報を取得する取得部と、
前記取得部により取得された前記情報に基づいて鍵を生成する生成部と、
前記生成部により生成された鍵を用いてデータを暗号化して暗号データを生成する暗号化部と、
前記暗号化部により生成された暗号データを送信する送信部と
を具備する情報伝送端末。
【請求項２】
暗号データを受信する受信部と、
試料に含まれる一以上の成分についての情報を取得する取得部と、
前記取得部により取得された前記情報に基づいて鍵を生成する生成部と、
前記受信部により受信された暗号データを、前記生成部により生成された鍵を用いて復号する復号部と
を具備する情報伝送端末。
【請求項３】
前記鍵を前記情報に基づいて生成する方法を特定する特定部
を具備し、
前記生成部は、前記特定部が特定した方法にしたがって、前記鍵を生成する
ことを特徴とする請求項１または２に記載の情報伝送端末。
【請求項４】
前記情報を取得する方法を特定する特定部
を具備し、
前記取得部は、前記特定部が特定した方法にしたがって、前記各情報を取得する
ことを特徴とする請求項１または２に記載の情報伝送端末。
【請求項５】
暗号化の方法を特定する特定部
を具備し、
前記暗号化部は、前記特定部が特定した方法にしたがって、前記データを暗号化する
ことを特徴とする請求項１に記載の情報伝送端末。
【請求項６】
復号の方法を特定する特定部
を具備し、
前記復号部は、前記特定部が特定した方法にしたがって、前記暗号データを復号する
ことを特徴とする請求項２に記載の情報伝送端末。
【請求項７】
複数の選択肢をそれぞれ割り当てられた複数の項目に対してユーザがそれぞれ１つの選択肢を選択する操作を受け付ける操作部
を具備し、
前記特定部は、前記操作部が受け付けた操作が示す選択肢の組み合わせに応じて、前記方法を特定する
ことを特徴とする請求項３から６のいずれか１項に記載の情報伝送端末。
【請求項８】
時刻を示す時刻情報を取得する時刻情報取得部
を具備し、
前記特定部は、前記時刻情報が示す時刻が含まれる期間に応じて、前記方法を特定する
ことを特徴とする請求項３から６のいずれか１項に記載の情報伝送端末。
【請求項９】
送信装置に接続された測定部から、試料に含まれる一以上の成分についての情報を取得し、
前記取得された情報に基づいて鍵を生成し、
前記生成された鍵を用いてデータを暗号化して暗号データを生成し、
前記生成された暗号データを送信する情報伝送方法。
【請求項１０】
送信装置から暗号データを受信し、
受信装置に接続された測定部から、試料に含まれる一以上の成分についての情報を取得し、
前記取得された前記各情報に基づいて鍵を生成し、
前記受信された暗号データを、前記生成された鍵を用いて復号する情報伝送方法。
【請求項１１】
前記鍵を前記情報に基づいて生成する方法を特定し、
前記特定した方法にしたがって、前記鍵を生成することを特徴とする請求項９または１０に記載の情報伝送方法。
【請求項１２】
前記情報を取得する方法を特定し、
前記特定した方法にしたがって、前記各情報を取得することを特徴とする請求項９または１０に記載の情報伝送方法。
【請求項１３】
前記取得した情報に基づき暗号化の方法を特定し、
前記特定した方法にしたがって、前記データを暗号化することを特徴とする請求項９に記載の情報伝送方法。
【請求項１４】
前記取得した情報に基づき復号の方法を特定し、
前記特定した方法にしたがって、前記暗号データを復号することを特徴とする請求項１０に記載の情報伝送方法。
【請求項１５】
複数の選択肢をそれぞれ割り当てられた複数の項目に対してユーザがそれぞれ１つの選択肢を選択する操作を受け付け、
前記受け付けた操作が示す選択肢の組み合わせに応じて、前記方法を特定することを特徴とする請求項１１から１４のいずれか１項に記載の情報伝送方法。
【請求項１６】
時刻を示す時刻情報を取得し、
前記特定部は、前記時刻情報が示す時刻が含まれる期間に応じて、前記方法を特定することを特徴とする請求項１１から１４のいずれか１項に記載の情報伝送方法。
【請求項１７】
送信装置と受信装置のそれぞれにおいて試料に含まれる一以上の成分についての情報を取得し、
前記取得された前記情報に基づいて暗号化鍵および復号化鍵をそれぞれ生成し、
前記送信装置と前記受信装置との間の通信において、前記暗号化鍵を用いて暗号化されたデータの送信と、当該暗号化されたデータの前記復号化鍵を用いた復号とが実行される
ことを特徴とする情報伝送方法。
【発明の詳細な説明】
【技術分野】
【０００１】
本発明は、情報伝送端末による暗号通信に関するものである。
【背景技術】
【０００２】
情報を保全する目的でパスワードやパスフレーズなどが鍵として採用されることがある。安全性の面からこの鍵には複雑な文字列などが適しているが、鍵にあまり複雑なものを採用するとユーザが覚えられないことがある。一方、ユーザにとって覚えやすいものを鍵として採用すると、その鍵が不正利用者に推測されてしまう可能性がある。【０００３】
そこで、物質の解析結果を情報の保全に利用することが考えられている。特許文献１には、複雑であり、無秩序であって、固有であり、且つ安定した構造を具備する材料要素の少なくとも１つの構造的な特性から得られた１つ又はいくつかのデジタル署名の使用法と、このような保護されたデータの媒体、並びに、この保護されたデータを読み取る方法が開示されている。特許文献２には、メモリタグを用いてランダムな特徴を有する物理オブジェクトの認証を行うことが開示されている。特許文献３には、化学元素の割合の分析ができるようにコーティング用組成物または印刷用インク中の適所に保持される無機粒子を標識付け手段として使用することが開示されている。
【先行技術文献】
【特許文献】
【０００４】
【特許文献１】特表２００７−５２０９６２号公報
【特許文献２】特開２００５−３２７２４８号公報
【特許文献３】特表２００２−５００２４４号公報
【発明の概要】
【発明が解決しようとする課題】
【０００５】
しかしながら、特許文献１に開示された技術において、材料要素は、複雑であり、無秩序であって、固有であり、且つ安定した構造を具備する必要があった。特に特許文献１に記載の技術は、材料要素の固有な構造を用いるので、その材料要素の代替物や複製物を使えず送受信の双方で共通の鍵を用いる暗号通信に利用することは困難であった。また、特許文献２に開示された技術は、基本媒体の特定位置の測定結果と予め記憶されている測定結果とが一致するか否かをチェックすることにより、基本媒体がオリジナルであるか否かをチェックするものであり、暗号通信に適用することが困難であった。また、特許文献３に開示された技術は、無機粒子を標識付手段として使用するものであって、偽造や無許可取引などを防止するために適用され得るが、メッセージを暗号化して通信に用いる暗号通信に利用することは困難であった。【０００６】
本発明は、暗号通信に用いる鍵を予測され難くすることを目的とする。
【課題を解決するための手段】
【０００７】
本発明に係る情報伝送端末は、一の態様において、試料に含まれる一以上の成分についての情報を取得する取得部と、前記取得部により取得された前記情報に基づいて鍵を生成する生成部と、前記生成部により生成された鍵を用いてデータを暗号化して暗号データを生成する暗号化部と、前記暗号化部により生成された暗号データを他の情報伝送端末へ送信する送信部とを具備する。【０００８】
本発明に係る情報伝送端末は、他の態様において、他の情報伝送端末から暗号データを受信する受信部と、試料に含まれる一以上の成分についての情報を取得する取得部と、前記取得部により取得された前記各情報に基づいて鍵を生成する生成部と、前記受信部により受信された暗号データを、前記生成部により生成された鍵を用いて復号する復号部とを具備する。【０００９】
好ましくは、鍵を成分の量または物性を示す情報に基づいて生成する方法を特定する特定部を具備し、前記生成部は、前記特定部が特定した方法にしたがって、前記鍵を生成するとよい。【００１０】
また、好ましくは、試料に含まれる一以上の成分についての情報を取得する方法を特定する特定部を具備し、前記取得部は、前記特定部が特定した方法にしたがって、前記各情報を取得するとよい。【００１１】
また、好ましくは、暗号化の方法を特定する特定部を具備し、前記暗号化部は、前記特定部が特定した方法にしたがって、前記データを暗号化するとよい。【００１２】
また、好ましくは、復号の方法を特定する特定部を具備し、前記復号部は、前記特定部が特定した方法にしたがって、前記暗号データを復号するとよい。【００１３】
また、好ましくは、複数の選択肢をそれぞれ割り当てられた複数の項目に対してユーザがそれぞれ１つの選択肢を選択する操作を受け付ける操作部を具備し、前記特定部は、前記操作部が受け付けた操作が示す選択肢の組み合わせに応じて、前記方法を特定するとよい。【００１４】
また、好ましくは、時刻を示す時刻情報を取得する時刻情報取得部を具備し、前記特定部は、前記時刻情報が示す時刻が含まれる期間に応じて、前記方法を特定するとよい。【００１５】
本発明の情報伝送方法は、一の態様において、送信装置に接続された測定部から、試料に含まれる一以上の成分についての情報を取得し、前記取得された情報に基づいて鍵を生成し、前記生成された鍵を用いてデータを暗号化して暗号データを生成し、前記生成された暗号データを送信することを特徴とする。【００１６】
本発明の情報伝送方法は、他の態様において、送信装置から暗号データを受信し、受信装置に接続された測定部から、試料に含まれる一以上の成分についての情報を取得し、前記取得された前記各情報に基づいて鍵を生成し、前記受信された暗号データを、前記生成された鍵を用いて復号する。【００１７】
本発明の情報伝送方法は、さらに他の態様において、送信装置と受信装置のそれぞれにおいて試料に含まれる複数の成分の量または物性の少なくとも１つを示す情報を取得し、前記取得された前記情報に基づいて暗号化鍵および復号化鍵をそれぞれ生成し、前記送信装置と前記受信装置との間の通信において、前記暗号化鍵を用いて暗号化されたデータの送信と、当該暗号化されたデータの前記復号化鍵を用いた復号とが実行される。
【発明の効果】
【００１８】
本発明によれば、暗号通信に用いる鍵を予測され難くすることができる。
【図面の簡単な説明】
【００１９】
【図１】実施形態に係る通信システムの概要を示す図である。
【図２】情報伝送端末の構成を示す図である。
【図３】情報伝送端末の暗号化に係る機能的構成を示す図である。
【図４】情報伝送端末の復号に係る機能的構成を示す図である。
【図５】生成部が鍵を生成する動作の流れを示すフロー図である。
【図６】測定部により測定された試料の化学組成を表すグラフである。
【図７】測定部により測定された各成分のピーク値と量子化値を表す図である。
【図８】各成分の量子化値を配列した状態を示す図である。
【図９】変形例における情報伝送端末の暗号化に係る機能的構成を示す図である。
【図１０】変形例における情報伝送端末の復号に係る機能的構成を示す図である。
【図１１】測定対象となる成分の組み合わせを示す図である。
【図１２】量子化法の種類を示す図である。
【図１３】配列法の種類を示す図である。
【図１４】測定方法の種類を示す図である。
【図１５】変形例に係る通信システムの全体構成を示す図である。
【図１６】変形例に係る情報伝送端末の構成を示す図である。
【図１７】変形例に係る通信システムの構成を示す図である。
【図１８】変形例に係る端末の機能構成を示す図である。
【図１９】変形例に係る送信動作例を示す図である。
【図２０】変形例に係る受信動作例を示す図である。
【符号の説明】
【００２０】
１，１ａ…情報伝送端末、１１…制御部、１１１…生成部、１１２…暗号化部、１１３…復号部、１１４…特定部、１１５…取得部、１２…記憶部、１３…通信部、１４…操作部、１５…表示部、１６…測定部、１６ａ…インターフェース、１７…収音部、１８…放音部、２…通信網、３…測定装置、９，９ａ…通信システム
【発明を実施するための形態】
【００２１】
１．実施形態
１−１．システムの構成
図１は、実施形態に係る通信システム９の概要を示す図である。通信システム９は、複数の情報伝送端末１と、これらを互いに接続する通信網２とを有する。情報伝送端末１は、通信網２を介して通信を行う端末であり、本実施形態では電子メールの送受信を行う移動電話機である。通信網２は、情報伝送端末１同士を接続する通信網であり、本実施形態では移動体通信網である。情報伝送端末１の個数は２つに限らず３つ以上であってもよい。
【００２２】
１−２．情報伝送端末の構成
図２は、情報伝送端末１の構成を示す図である。制御部１１は、ＣＰＵ（Central Processing Unit）、ＲＯＭ（Read Only Memory）、ＲＡＭ（Random Access Memory）を備え、ＣＰＵが、ＲＯＭに記憶されているブートローダや記憶部１２に記憶されているプログラムをＲＡＭに読み出して実行することにより情報伝送端末１の各部を制御する。
【００２３】
記憶部１２はソリッドステートドライブやＥＥＰＲＯＭ（Electrically Erasable and Programmable Read Only Memory）などの記憶手段であり、制御部１１に読み込まれるプログラムや各種データを記憶する。
通信部１３は、通信網２と接続して通信を行う回路である。
操作部１４は、各種の指示を入力するためのボタンやセンサなどの操作子を備えており、ユーザによる操作を受け付けてその操作内容に応じた信号を制御部１１に供給する。
表示部１５は、液晶を使用したディスプレイ装置であり、制御部１１から供給される信号に応じて画像を表示する。
【００２４】
測定部１６は、試料を受け入れてその試料の化学組成を測定する移動式の測定機器である。測定部１６は、具体的には高速液体クロマトグラフィーを用いた有機酸の測定装置である。情報伝送端末１のユーザは、食品や飲料などの試料を決められた溶媒に決められた割合で溶解させて溶液を調整し、これをガラス容器などであるアンプルＡｍに封入する。測定部１６は、多孔性固体などが充填されたカラムと、このカラムに通じたソケットＳｃを有している。ユーザにより上記のアンプルＡｍがこのソケットＳｃに挿し込まれると、測定部１６のカラムは、アンプルＡｍに封入された上記の溶液を受け入れる。測定部１６は、受け入れた試料に含まれる複数の成分の量を示す成分値をそれぞれ取得し、これら各成分値に応じた信号を制御部１１に供給する。
【００２５】
ここでいう「成分値」とは、例えば試料が複数種類の物質からなる混合物の場合における各物質の存在割合（例えば重量濃度やモル濃度などによって表される）ものであってもよいし、試料が一の種類の化合物である場合にはその元素組成比であってもよいし、一つの成分が全体に占める割合であってもよい。
要は、試料を成分の観点から、何らかの方法で分析した結果得られる質量や比重などの物理量であればよい。
「液体クロマトグラフィー法」は、試料を液体化させて赤外線の吸収量を測定するにより、複数の成分についての情報を一度に取得することが可能である。また、液体クロマトグラフィー法に替えて、ガス化した試料に対して計測を行うガスクロマトグラフィー法を用いてもよい。
ただし、測定部１６の測定方法はクロマトグラフィー法等の、物質の分離を前提とした分析手法に限定されるものではなく、あらゆる分析手法を適用することが可能である。また、測定した情報のすべてを制御部１１に供給する必要はなく一部のみを供給してもよい。例えば、試料中の複数の成分についての情報（成分比など）が測定された場合、一部の成分についての情報のみを供給してもよい。なお、成分には、異物として認識される物質の成分も含む。また、一つの成分についての複数の情報（例えばpＨ（水素イオン濃度）と塩分（ナトリウム）濃度など）が測定された場合に、そのうちの一つの情報のみを供給してもよい。
具体的な測定装置の例としては、ｐＨメータや塩分分析計、糖度分析計、導電率計、比抵抗計、ＴＯＣ計、蛍光分光測定装置、ラマン分光測定装置、各種小型分析器やＦＴ−ＩＲ装置が挙げられ、本発明においては、これらのいずれも用いることができるが、これらは単に例示あって、これらに限定されるものではない。
【００２６】
収音部１７は、周囲の音声に応じた音声信号を発生させるマイクを有し、発生させた音声信号をデジタル信号に変換して制御部１１に供給する。
放音部１８は、音声を発生させるスピーカを有し、制御部１１の制御の下、指示された音声信号をアナログ信号に変換してその信号に応じた音声をスピーカにより発生させる。
【００２７】
１−３．情報伝送端末の機能的構成
図３は、情報伝送端末１の暗号化に係る機能的構成を示す図である。情報伝送端末１の制御部１１は、電子メールの送信に際し、図３に示す生成部１１１、暗号化部１１２および取得部１１５として機能する。取得部１１５は、使用する試料の各成分値に応じた信号（情報）を測定部１６から取得する。生成部１１１は、これらの各信号、すなわち、取得部１１５により取得された各成分の量に基づいて鍵を生成する。この鍵とはデジタルデータで表される電子鍵である。
【００２８】
暗号化部１１２はメッセージを暗号化する。メッセージとは、送信の対象となるデータであり、例えば人に伝える文書や音声、映像などを表したデータである。この例においてメッセージは、送信するために編集され記憶部１２に記憶されている電子メールのデータである。暗号化部１１２は、記憶部１２からメッセージを読み出し、決められた共通鍵暗号方式によって、生成部１１１により生成された鍵を用いて暗号化して暗号データを生成する。通信部１３は、暗号化部１１２により生成された暗号データを電子メールとして他の情報伝送端末１へ送信する。
【００２９】
図４は、情報伝送端末１の復号に係る機能的構成を示す図である。情報伝送端末１の制御部１１は、暗号化された電子メールの受信に際し、図４に示す生成部１１１および復号部１１３として機能する。電子メールの受信時における通信部１３は、送信側の情報伝送端末１から電子メールとして暗号データを受信する。生成部１１１は、電子メール送信時と同様に測定部１６から取得した各成分値に応じた信号に基づいて鍵を生成する。
【００３０】
復号部１１３は暗号データを復号してメッセージにする。復号部１１３は、通信部１３により受信された暗号データを、決められた共通鍵暗号方式によって、生成部１１１により生成された鍵を用いて復号してメッセージを生成する。生成されたメッセージは、記憶部１２に記憶される。
【００３１】
１−４．鍵生成の動作
図５は、生成部１１１が鍵を生成する動作の流れを示すフロー図である。生成部１１１は、測定部１６から各成分値に応じた信号を取得すると（ステップＳ１０１）、取得した各信号に基づいて、鍵の要素として用いるデジタル信号である量子化値を生成する量子化を行う（ステップＳ１０２）。
【００３２】
図６は、測定部１６により測定された試料のクロマトグラムである。図６の横軸は試料がカラムに投入されてからカラムを通過するまでの時間を示し、縦軸は、その時間にカラムを通過した成分の量を示す。試料に含まれている各成分は、それぞれカラムを通過する速度が異なるので、カラムを通過するまでの時間に差が生じる。カラムの後には電気伝導度測定器が備えられている。カラムを通過した溶液は、この電気伝導度測定器により電気伝導度を測定される。この電気伝導度は、溶液に含まれる成分の量と相関を有するので、上記の電気伝導度の時間変化を表すクロマトグラムにおいて、試料に含まれる各成分の量がピーク値として得られる。
【００３３】
図７は、測定部１６により測定された各成分のピーク値と量子化値を表す図である。図６に示した「８．６分」の位置には、成分番号「２」の成分のピークが現れる。このピークにおいて測定された電気伝導度に基づき、成分番号「２」の成分の量に応じた成分値として十進数表記で「９．５」という数値が得られる。この数値を示す信号を測定部１６から取得すると、生成部１１１は、これに対し「切り捨て」という量子化を行う。その結果、生成部１１１は、上記の数値の小数点以下を切り捨て、十進数表記で「９．０」、二進数表記で「１００１」という数値を示す量子化値を生成する。このようにして、図７に示すように、試料に含まれる成分番号「１」から「９」までの各成分に対して、鍵の要素として用いられる量子化値がそれぞれ生成される。なお、ここでいう量子化は、アナログ信号からデジタル信号を生成することに加え、デジタル信号からデジタル信号を生成することも含む。
【００３４】
生成部１１１は、量子化により生成された量子化値を決められた規則に沿って配列し（ステップＳ１０３）、鍵に変換する（ステップＳ１０４）。
図８は、各成分の量子化値を配列した状態を示す図である。図７に示した各量子化値は、最上位桁を表す左端から成分番号の順に配列され、二進数表記で「１１０００１００１１００１１１１０１１１１０１００１１００」という数値となる。そして、この配列された二進数表記の数値の最下位側（右端）の４桁を十六進数表記における１の位の値とする「右詰め」がなされ、全体が１つの数値に変換される。図８に示す例においてこの数値は、十六進数表記で「１８９９ＥＦ４Ｃ」である。この数値が情報伝送端末１で電子メール送信時および受信時に、鍵として用いられる。なお、この鍵は一例であり、鍵の桁数はこれより多くても少なくてもよい。
【００３５】
以上の動作によって得られた鍵により、送信側の情報伝送端末１は、メッセージとしての電子メールを暗号化した暗号データを送信する。受信側の情報伝送端末１は、送信側の情報伝送端末１で測定された試料と同種の試料を測定することで、送信側の情報伝送端末１で利用された鍵と同じ鍵を生成する。そして、受信側の情報伝送端末１は、この鍵を用いて受信した暗号データを復号してメッセージを生成する。その結果、この通信システム９によれば、送信側の情報伝送端末１のユーザと、受信側の情報伝送端末１のユーザとの間で、共通の化学物質を試料として用いることを示し合わせておくことで暗号通信を行うことができる。
【００３６】
２．変形例
上記実施形態の内容は以下の観点から変形し得る。また、これらの観点を組み合わせてもよい。
２−１．試料の内蔵
上述した実施形態において、測定部１６は、試料を封入したアンプルＡｍを挿し込むソケットＳｃを有していたが、測定部１６は、試料そのものを予め内蔵していてもよい。この場合、内蔵された試料はユーザに対して秘匿されていてもよい。測定部１６は、内蔵されたこの試料を構成する複数の成分の成分値をそれぞれ取得し、これら各成分値に応じた信号を制御部１１に供給すればよい。各成分値に応じた信号に基づいて生成部１１１が生成した鍵は、暗号化および復号に用いられるほか、情報伝送端末１を識別する識別情報として用いられてもよい。
【００３７】
２−２．試料と鍵を生成する方法との組
上述した実施形態において、情報伝送端末１は、予め示し合わせた試料を送信側および受信側でそれぞれ用いることで暗号通信を行っていたが、この試料と、この試料から鍵を生成する方法との組によって決まる暗号通信を行ってもよい。
【００３８】
図９は、この変形例における情報伝送端末１の暗号化に係る機能的構成を示す図である。また、図１０は、この変形例における情報伝送端末１の復号に係る機能的構成を示す図である。特定部１１４は、ユーザの操作内容に応じた信号を操作部１４から受け取ると、この信号に基づいて生成部１１１が鍵を生成する方法を決定して生成部１１１に伝える。
【００３９】
例えば、図１１は、測定対象となる成分の組み合わせを示す図である。図１１において、セットＡ、セットＢ、セットＣとは、測定対象となる成分の各組を互いに識別するための名称であり、各組ごとに、成分番号に対応付けて図６に示したカラムの通過時間（単位：分）が記述されている。例えば、セットＡにおいて、成分番号「１」は、カラムの通過時間が「８．１分」の成分に割り当てられている。なお、使用しない成分番号には、通過時間を特定しないことを示す「―」が記述されている。制御部１１は、図２に示す表示部１５により、セットＡ、セットＢ、セットＣ…をそれぞれ選択肢としてユーザに表示させる。ユーザは操作部１４を操作してセットＡ、セットＢ、セットＣ…のいずれかを選択する操作を行う。特定部１１４は、操作部１４が受け付けたユーザの操作が示す選択肢により、測定対象となる成分の組を特定する。生成部１１１は、上述の特定された成分の組を測定対象とする方法により鍵を生成する。
【００４０】
また、図１２は、量子化法の種類を示す図である。図１２において、量子化法「α」「β」「γ」とは、それぞれ「切り捨て」「切り上げ」「２倍後四捨五入」に対応付けられている。例えば、制御部１１は、表示部１５により、量子化法α、量子化法β、量子化法γ…をそれぞれ選択肢としてユーザに表示させる。ユーザは操作部１４を操作して量子化法α、量子化法β、量子化法γ…のいずれかを選択する操作を行う。特定部１１４は、操作部１４が受け付けたユーザの操作が示す選択肢により、量子化法の種類を特定する。生成部１１１は、上述の特定された種類の量子化法を用いた方法により鍵を生成する。
【００４１】
ここでユーザが量子化法「β」を選択した場合、特定部１１４は、量子化法として「切り上げ」が選択されたことを生成部１１１に伝える。そして上述したように、或るピーク値として十進数表記で「９．５」という数値が得られたとすると、生成部１１１は、これに対し「切り上げ」という量子化を行う。具体的には、生成部１１１は、上記のピーク値の小数点以下を切り上げ、十進数表記で「１０．０」、二進数表記で「１０１０」という量子化値を生成する。また、ユーザが量子化法「γ」を選択した場合、特定部１１４は、量子化法として「２倍後四捨五入」が選択されたことを生成部１１１に伝える。このとき、生成部１１１は、十進数表記で「９．６」というピーク値を得た場合に、これを２倍して十進数表記で「１９．２」にし、小数点以下を四捨五入する。その結果、生成部１１１は、十進数表記で「１９．０」、二進数表記で「１００１１」という量子化値を生成する。
【００４２】
また、図１３は、配列法の種類を示す図である。制御部１１は、表示部１５により、配列法Ｉ、配列法ＩＩ、配列法ＩＩＩ…をそれぞれ選択肢としてユーザに表示させる。ユーザは操作部１４を操作して配列法Ｉ、配列法ＩＩ、配列法ＩＩＩ…のいずれかを選択する操作を行う。特定部１１４は、操作部１４が受け付けたユーザの操作が示す選択肢により、配列法の種類を特定する。生成部１１１は、上述の特定された配列法により鍵を生成する。
【００４３】
図１３において、配列法Ｉは「左詰」であり、各成分の量子化値を最上位桁である左端から詰めていき、左端から順に変換する方法である。配列法Ｉが選択されたとき、生成部１１１は、二進数表記した量子化値を並べ、左端から４桁ずつを１桁の１６進数に変換する。そして、右端に残った数値が４桁に満たない場合、生成部１１１は、この残った数値の右側に二進数表記の「０」を詰めて４桁にしてこれを１桁の１６進数に変換する。これによれば、図８に示した二進数表記の数値は、右端に二進数表記における「０」が３桁詰められた上で、十六進数表記で「Ｃ４ＣＦ７Ａ６０」に変換される。
【００４４】
配列法ＩＩは「右詰」であり、上述したように二進数表記の数値の最下位側の４桁を１の位として、変換を行う方法である。配列法ＩＩＩは「パッディング」であり、各成分の量子化値にそれぞれ決められた桁数を確保して、量子化値を表さないビットにパッドとして０を詰め込む方法である。配列法ＩＩＩが選択されたとき、生成部１１１は、例えば、全ての量子化値に二進数表記で５桁をそれぞれ確保する場合、二進数表記で「１１０００・１００１・１００・１１１・１０１・１１・１０・１００１・１００」という上述した数値ではなく、「１１０００・０１００１・００１００・００１１１・００１０１・０００１１・０００１０・０１００１・００１００」という数値を得る。なお、ここで中点「・」は、各成分の区切りを示すための記号である。
【００４５】
以上のように、測定部１６により測定される試料が同じであっても、鍵を生成する方法が異なることにより異なる鍵が生成される。したがって、電子メールの送信者および受信者は、試料と、この試料から鍵を生成する方法との「組」を示し合わせ、これによって電子メールを情報伝送端末１に暗号化および復号させて暗号通信を行えばよい。なお上述した例では、測定対象となる成分の組み合わせ、量子化法、および配列法という複数の項目についてそれぞれ複数の選択肢が割り当てられており、ユーザは、各項目に対して１つの選択肢を選択していた。すなわち、鍵を生成する方法は、ユーザの選択した選択肢の組み合わせによって特定されてもよい。例えば、鍵を生成する方法が、複数の工程に分解されるといった場合に、情報伝送端末１は、各工程を示す項目ごとに選択肢を表示してユーザに選択させる。そして、情報伝送端末１は、選択された各選択肢の組み合わせによってこの「鍵を生成する方法」を特定すればよい。
また、上記例示した複数の測定方法を二以上用いてもよい。この場合、それぞれの測定方法にて得られる結果（成分値もしくは物性値等）の任意の組み合わせて鍵の生成に利用してもよい。勿論、一の測定方法において複数の成分値もしくは物性値が得られる場合は、それらを任意の組み合わせで利用してもよい。
【００４６】
２−３．試料と、成分の量を取得する方法との組
上記の変形例では、試料と組み合わせる情報として、測定対象となる成分の組み合わせ、量子化法、および配列法という、「鍵を生成する方法」の構成要素を挙げたが、他の処理に関する情報と組み合わせてもよい。例えば、成分の量を取得する方法のうち、例えば、測定方法を示す情報であってもよい。図１４は、測定方法の種類を示す図である。図１４において、測定法アは「ガスクロマトグラフィー」であり、測定法イは「液体クロマトグラフィー」であり、測定法ウは「赤外分光測定」である。
【００４７】
例えば、情報伝送端末１には測定方法の異なる複数の測定部１６が設けられていて、図１４に示すいずれかの測定法がユーザにより操作部１４を介して選択されたとき、特定部１１４は、図９および図１０に破線で示すように、選択された測定方法を取得部１１５に伝える。取得部１１５は、この測定方法に応じて、複数の測定部１６の中から使用する測定部１６を決定する。これにより、同じ試料を用いても測定方法が異なるために生成される鍵は異なったものとなる。なお、上記の測定方法は、複数の項目について選択された選択肢の組み合わせによって特定されてもよい。
【００４８】
２−４．試料と暗号化・復号の方法との組
また、試料と組み合わせる情報として、暗号化または復号の方法を示す情報が用いられてもよい。暗号化または復号の方法とは、それらに用いられるアルゴリズムなどであり、例えば、ＤＥＳ（Data Encryption Standard）やＡＥＳ（Advanced Encryption Standard）などである。これらアルゴリズムの種類をユーザに選択させ、生成部１１１は、選択されたアルゴリズムにしたがって暗号化および復号を行うようにすればよい。この場合、特定部１１４は、図９および図１０に破線で示すように、選択されたアルゴリズムを利用する旨を暗号化部１１２や復号部１１３に伝えればよい。
なお、上記の暗号化または復号の方法は、複数の項目について選択された選択肢の組み合わせとして特定されてもよい。
【００４９】
２−５．インターフェース
上述した情報伝送端末１は測定部１６を備えていたが、これに代えて外部の測定装置と接続してその測定装置から測定結果を取得するインターフェースを備えていてもよい。図１５は、この変形例に係る通信システム９ａの全体構成を示す図である。通信システム９ａは、情報伝送端末１ａが測定装置３と接続するように構成されている点が上述した実施形態に係る通信システム９と異なっている。
【００５０】
図１６は、情報伝送端末１ａの構成を示す図である。情報伝送端末１ａは、測定部１６に代えて外部の測定装置３と接続するインターフェース１６ａを備えている点が、実施形態に係る情報伝送端末１と異なっている。制御部１１は、インターフェース１６ａを介して測定装置３から、試料に含まれる複数の成分の量をそれぞれ取得すればよい。このようにインターフェース１６ａを介して測定装置３に接続することで、情報伝送端末１ａは測定のための構成を内蔵する必要がなくなるので、軽量化が図れ、携帯電話機など携帯に適したものとすることができる。また、この場合の測定装置３は固定されていてもよい。
【００５１】
２−６．プログラム
情報伝送端末１（１ａ）の制御部１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどのネットワーク経由でダウンロードさせることも可能である。なお、上記の制御部１１によって例示した制御手段としてはＣＰＵ以外にも種々の装置が適用される場合があり、例えば、専用のプロセッサなどが用いられる。
【００５２】
２−７．暗号化の対象
上述した実施形態において、暗号化される対象である「メッセージ」は電子メールなどのデータであったが、通話音声を示す音声データやストリーミング映像を示す映像データなどであってもよい。また、暗号化される対象は人間に理解得る情報でなくてもよい。例えば、他の暗号化処理によって暗号化されたデータであってもよい。この場合、情報伝送端末１は、この暗号化されたデータをさらに暗号化して他の情報伝送端末１へ送信すればよい。要するにメッセージは送信の対象となるデータであればよい。
【００５３】
２−８．測定項目
上述した実施形態において、測定部１６により測定される項目は試料の各成分の量を示す成分値であったが、これに加えて、またはこれに代えて、試料の物理的特性（物性）が測定されてもよい。物性とは、その物質に固有な巨視的な力学的・熱的・電気的・磁気的・光学的などの性質であって、例えば光透過率や屈折率、反射率、透磁率、熱伝導率、電気伝導率などによって評価される。好ましい態様において、これらの物性パラメータの少なくともいずれか一つと、決められた少なくとも一つ以上の成分の値とに基づいて、生成部１１１が鍵を生成すればよい。
本発明の情報伝送端末は、一の態様において、試料に含まれる一以上の成分についての情報を取得する取得部と、前記取得部により取得された前記情報に基づいて鍵を生成する生成部を有し、且つ前記生成部により生成された鍵を用いてデータを暗号化して暗号データを生成して他の情報伝送端末へ送信する送信部と、他の情報伝送端末から暗号データを受信して前記生成部により生成された鍵を用いて復号する受信部の少なくともいずれかを有していればよい。
試料に含まれる一以上の成分についての情報とは、所定の１以上の成分が全体に占める割合（重量比や体積比とうの成分比）あるいは一以上の成分の各々についての物理的特性を表わす量であり、さらに一の成分についての成分比と物理量とを組み合わせたものであってもよい。
本発明の情報伝送方法は、一の態様において、送信装置と受信装置のそれぞれにおいて用意された試料に含まれる、(a)少なくとも１つの成分の量を示す情報および（ｂ）当該試料の物性を表わす少なくとも１つの情報のうち、少なくともいずれか一方の情報を取得し、前記取得された前記情報に基づいて暗号化鍵および復号化鍵を生成し、前記送信装置と前記受信装置との間の通信において、前記暗号化鍵によって暗号化されたデータの送信と、当該暗号化されたデータの前記復号化鍵を用いた復号が実行される。
【００５４】
２−９．検出
上述した実施形態において、測定部１６は、各成分値を測定していたが、測定部１６に代えて、その成分の有無を検出する検出部（または検出装置）を用いてもよい。この検出部は各成分を定性的に検出すればよく、各成分の量を定量しなくてもよい。また、各成分値を測定して、その測定値と予め決められている閾値とを比較し、各成分の有無を検出してもよい。生成部１１１は、例えば、検出された成分に数値「１」を、検出されなかった成分に数値「０」を割り当てて、決められた順序でこれらの数値を配列する。このようにして配列された数値は二進数となっているので、生成部１１１はこれに基づいて鍵を生成すればよい。
【００５５】
２−１０．時系列変化
上述した実施形態において、鍵を生成する方法、測定方法、暗号化または復号の方法は予め決められたものであった。また、上述した変形例において、これらの方法は、ユーザの操作に応じて決められるものであった。しかし、これらの方法を決めるのはユーザの操作に限られない。例えば、これらの方法は、時刻に応じて決められてもよい。以下に、この態様に含まれる例を示す。
【００５６】
（１）スケジュール
情報伝送端末１の記憶部１２には、予め上記の方法について複数の種類を定め、これらが毎日変化するように設定されたスケジュールが記憶されている。
まず、送信側の情報伝送端末１の制御部１１は、内蔵されたタイマを参照して現在の時刻を示す時刻情報を取得する。そして、制御部１１は、上記のスケジュールを参照して、この時刻情報が示す時刻を含む今日の日付に対応付けられた測定方法を特定し、この測定方法に従って、試料に含まれる複数の成分の量を取得する。
次に、この制御部１１は、上記のスケジュールを参照して、今日の日付に対応付けられた鍵の生成方法を特定し、この生成方法に従って、取得した成分の量から鍵を生成する。
その後、この制御部１１は、上記のスケジュールを参照して、今日の日付に対応付けられた暗号化の方法を特定し、この暗号化の方法に従って、メッセージを暗号化し、得られた暗号データに今日の日付を付加して送信する。
受信側の情報伝送端末１は、暗号化の日付に対応する測定方法、鍵の生成方法、および復号の方法を記憶部１２に記憶された上記のスケジュールからそれぞれ特定し、これらに従って、試料を測定し、鍵を生成して、暗号データを復号すればよい。
【００５７】
この変形例では、測定方法、鍵の生成方法、および暗号化・復号の方法が毎日変化するが、この変化の規則は送信側および受信側のそれぞれのユーザしか知らない。したがって、暗号に用いる際の試料を予め知らされていない上に、上記の変化の規則を知らない不正利用者にとっては暗号データの解読の困難性がさらに増すこととなる。なお、方法に対応付けられる期間は１日に限られず、他の期間（１週間など）であってもよい。各方法に異なる長さの期間が対応付けられていてもよい。
【００５８】
（２）周期
方法が周期的に変化する場合には、その１周期が定められていればよい。例えば、２つの方法を周期的に切り替えて用いる場合、日付が奇数日のときは第１の方法、偶数日のときは第２の方法を採用するように決めておいてもよい。
【００５９】
（３）演算
測定部１６により得られる成分値や物性値など、鍵の生成に用いられる各種測定値に、時刻を示す数値を用いた演算を施してもよい。例えば、測定部１６による測定結果に、その測定が行われた時刻を表す数値を乗算して、得られた数値に基づいて鍵を生成してもよい。この場合、生成された鍵を使って暗号化された暗号データに、この時刻を表す数値を付加して送信すればよい。鍵を生成する際の演算（この場合は、乗算）が秘匿されているため、不正利用者が暗号データに付加された数値を使って暗号を解読することは困難である。なお、この演算は複数の関数を組み合わせたものであってもよい。
【００６０】
２−１１．情報伝送端末
上述の実施形態において、情報伝送端末１は、通信網２を介して他の情報伝送端末１と通信を行う移動電話機であったが、携帯電話機、ＰＤＡ（Personal Digital Assistant）、携帯音楽再生機、携帯動画再生機、ゲーム機、電子書籍の閲覧装置、ナビゲーション装置、パーソナルコンピュータ等であってもよい。
【００６１】
２−１２．具体的な変形例の一例
図１７は、本発明の一実施例に係る通信システム１００を示す。通信システム１００は、端末１００Ａと端末１００Ｂとを有する。端末１００Ａと端末１００Ｂとはインターネット４００を介してデータの送受信を行う。端末１００Ａ（１００Ｂ）は一般的なパーソナルコンピュータとしての機能を備える。各端末１００には測定装置２００（２００Ａ、２００Ｂ）とがＵＳＢ等のバスによって接続されている。
各測定装置２００は、各端末１００から出力された命令に応じて、試料が入った容器３００（３００Ａ、３００Ｂ）がセットされた場合に、当該試料の分析を行い、分析結果を各端末１００に出力する。
暗号化通信を行う場合は、端末１００Ａのユーザと１００Ｂのユーザとの間で、暗号化／復号に用いる試料の種類を事前に申し合わせておいてもよいし、暗号化データを送信する際に、試料の種類を指定する情報を暗号化されていない状態で相手に送信してもよい。
【００６２】
図１８に端末１００の機能構成を示す。端末１００は、制御部１１０と記憶部１３０と入力部１５０と通信部１６０とを含む。
【００６３】
記憶部１３０は、送信すべきデータや受信したデータに加え、アルゴリズム生成情報を記憶する。アルゴリズム生成情報とは、試料の分析結果から暗号鍵をどのように生成するかを定義した情報である。例えば、分析結果に、複数の化合物の種類と各化合物の成分量（成分比）といった複数のパラメータが含まれる場合に、これらのパラメータのうちどれをどのように用いて暗号鍵を生成するのかを定義する情報である。あるいは、例えば、「成分比の高いものから３番目までの重量パーセント値を使用しこれらの３つの値を乗算する」することが定義される。
あるいは、分析結果が一つの値（たとえばｐＨ濃度や塩分濃度）のみ含まれる場合において、その値をどのように加工して鍵を生成するのかを定義する情報であってもよい。例えば、分析装置からｐＨ（水素イオン濃度）の測定結果として「５．０４」という値を取得した場合に、この値と所定の他の情報（測定日時などの測定に付随する情報や測定温度などの測定条件・測定環境に関する情報など）とを組み合わせて鍵を生成することを定義することができる。アルゴリズム生成情報は、暗号化通信を行う前に送信者と受信者との間で予め取り決めておく。また、アルゴリズム生成情報に、用いるべき試料の種類を含ませてもよい。
なお、分析結果の値を加工せずにそのまま使用するという情報をアルゴリズム生成情報に包含させてもよい。
すなわち、各端末１００において、暗号化通信を行う相手に関し、送信データの暗号化および受信データの復号に際して生成される鍵が一意に定まるように、少なくとも試料の種類が特定さればよく、加えて分析結果から鍵を用いる方法を特定してもよい。
【００６４】
制御部１００は、ＣＰＵ等のプロセッサによって実現され、鍵生成部１１１、取得部１１２、暗号／復号処理部１１３およびアルゴリズム１２０を含む。
取得部１１２は、分析装置２００に分析の実行命令を出力し、分析装置２００から分析結果を取得して鍵生成部１１１に出力する。鍵生成部１１１は、取得部１１２から取得して分析結果とアルゴリズム特定部１２０から取得してアルゴリズム生成情報とに基づいて暗号化および復号に必要な鍵を生成し、暗号／復号処理部１１３に出力する。鍵とはは、例えば所定桁の数字の羅列である。暗号／復号処理部１１３は、所定のアルゴリズム（ＡＥＳ等）に従い、鍵生成部１１１から供給された鍵を用いて、送信データを暗号化して通信部１６０に出力する。また、通信部１６０から提供された受信データに、所定のアルゴリズム（ＡＥＳ等）に従い、鍵生成部１１１から供給された鍵を用いて復号し、表示部１４０および記憶部１３０に出力する。
アルゴリズム特定部１２０は、記憶部１３０からアルゴリズム生成情報を読み出して、鍵生成部１１１に出力する。
表示部１４０は液晶ディスプレイ等の表示装置である。通信部１６０は、通信処理プロセッサとして実現され、制御部１１０から出力されたデータを送信し、受信したデータを制御部１００に出力する。入力部１５０は、キーボードやマウス等のユーザによって操作される入力デバイスであって、制御部１００への命令の入力や記憶部へのデータの格納等を行う。
【００６５】
図１９は、データを送信する際の動作の例を表わす図である。この例では、測定装置２００Ａよび２００ＢはｐＨ測定計であり、端末１００Ａにおいては、アルゴリズム生成方法として、端末１００Ｂと対応付けて、試料として飲料Ｙ、および「測定値と測定した日時情報とをアルゴリズムＡに従って演算する」という情報（これを情報Ｘとする）が記憶されているとする。そして端末１００Ｂにおいては、当該情報Ｘが端末１００Ａに対応付け記憶されている。いま、端末１００Ａから端末１００Ｂにデータを送信する場合を説明する。
【００６６】
端末１００Ａのユーザは、通信相手（端末１００Ｂ）と送信したいデータを指定する（Ｓ１００）。続いて、端末１００Ｂに対応する鍵生成アルゴリズム（情報Ｘ）を決定する（Ｓ１０２）。なお、相手ごとに異なる試料を使用することになっている場合は、その相手に対応した試料が少なくとも特定される。これに加えて、当該通信相手に対応付けて記憶部１３０に記憶された鍵生成アルゴリズムが読み出されてもよい。そして、ユーザはその試料（ここでは飲料Ｙ）を分析装置２００にセットし、所定の操作を行うと、試料の分析が行われる（Ｓ１０４）。分析結果が取得されると、分析結果であるｐＨ値と情報Ｘとに基づいて鍵が生成される（Ｓ１０６）。生成された鍵を用いて当該データが暗号化され（Ｓ１０８）、当該通信相手に暗号化されたデータが送信される（Ｓ１１０）。なお、データの送信元の情報については平文であるとする。
【００６７】
図２０はデータを受信する際の動作の例を表わす図である。端末１００Ｂは、暗号化されたデータを受信する（Ｓ２００）。データの送信元が端末１００Ａであることを確認すると、用いるべき試料として飲料Ｙであることを含む情報Ｘを特定する（Ｓ２０２）。端末１００Ｂのユーザは飲料Ｙをセットし、試料の分析命令を入力する（Ｓ２０４）。すると、鍵が生成され（Ｓ２０６）、この鍵を用いて受信したデータが復号され（Ｓ２０８）、復号後のデータが表示部に表示されるとともに記憶部１３０に記憶される（Ｓ２００）。
この例においては、ｐＨを測定する装置を通信相手同士が所有していればよいので、クロマトグラフィー等の高性能だが高価な装置を用いなくても、物質の成分に基づいた情報によって鍵が生成されるので、手軽かつセキュリティの高い暗号化通信が実現される。
【図１】
2013015252.tif 000003
【図２】
2013015252.tif 000004
【図３】
2013015252.tif 000005
【図４】
2013015252.tif 000006
【図５】
2013015252.tif 000007
【図６】
2013015252.tif 000008
【図７】
2013015252.tif 000009
【図８】
2013015252.tif 000010
【図９】
2013015252.tif 000011
【図１０】
2013015252.tif 000012
【図１１】
2013015252.tif 000013
【図１２】
2013015252.tif 000014
【図１３】
2013015252.tif 000015
【図１４】
2013015252.tif 000016
【図１５】
2013015252.tif 000017
【図１６】
2013015252.tif 000018
【図１７】
2013015252.tif 000019
【図１８】
2013015252.tif 000020
【図１９】
2013015252.tif 000021
【図２０】
2013015252.tif 000022
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
試料に含まれる一以上の成分についての情報を取得する取得部と、
前記情報に基づく鍵の生成方法を特定する特定部と、
前記取得部にて取得した情報と前記特定部にて特定された生成方法とに基づいて、鍵を生成する生成部と、
前記生成部により生成された鍵を用いてデータを暗号化して暗号データを生成する暗号化部と、
前記暗号化部により生成された暗号データを送信する送信部と
を具備する情報伝送端末。
【請求項２】
暗号データを受信する受信部と、
試料に含まれる一以上の成分についての情報を取得する取得部と、
前記情報に基づく鍵の生成方法を特定する特定部と、
前記取得部にて取得した情報と前記特定部にて特定された生成方法とに基づいて、鍵を生成する生成部と、
前記受信部により受信された暗号データを、前記生成部により生成された鍵を用いて復号する復号部と
を具備する情報伝送端末。
【請求項３】
前記生成方法を表す情報を、各通信相手に対応付けて記憶した記憶部を具備する
ことを特徴とする請求項１または２に記載の情報伝送端末。
【請求項４】
前記生成方法は、前記取得部にて取得した情報に含まれる複数の成分比のうち、前記鍵の生成に用いるものを定義する
ことを特徴とする請求項１ないし３に記載の情報伝送端末。
【請求項５】
前記生成方法は、前記取得部にて取得した情報の加工方法を定義する
ことを特徴とする請求項１ないし３に記載の情報伝送端末。
【請求項６】
前記生成方法は、前記鍵の生成にあたって、前記取得部にて取得した情報と組み合わせて用いる情報を定義する
ことを特徴とする請求項５に記載の情報伝送端末。
【請求項７】
前記鍵を用いて行なわれる暗号化のアルゴリズムを選択する選択部を具備し、
前記暗号化部は、前記選択部が特定した方法にしたがって、前記データを暗号化する
ことを特徴とする請求項１に記載の情報伝送端末。
【請求項８】
前記鍵を用いて行なわれる復号のアルゴリズムを選択する選択部を具備し、
前記復号部は、前記選択部が特定した方法にしたがって、前記暗号データを復号する
ことを特徴とする請求項２に記載の情報伝送端末。
【請求項９】
複数の選択肢をそれぞれ割り当てられた複数の項目に対してユーザがそれぞれ１つの選択肢を選択する操作を受け付ける操作部を具備し、
前記生成部は、前記操作部が受け付けた操作が示す選択肢の組み合わせに応じて、前記生成方法を決定する
ことを特徴とする請求項１ないし６のいずれか１項に記載の情報伝送端末。
【請求項１０】
時刻を示す時刻情報を取得する時刻情報取得部を具備し、
前記特定部は、前記時刻情報が示す時刻が含まれる期間に応じて、前記生成方法を特定する
ことを特徴とする請求項１ないし６のいずれか１項に記載の情報伝送端末。
【請求項１１】
送信装置に接続された測定部から、試料に含まれる一以上の成分についての情報を取得し、
前記情報に基づく鍵の生成方法を特定し、
前記取得された情報と該特定された生成方法とに基づいて鍵を生成し、
前記生成された鍵を用いてデータを暗号化して暗号データを生成し、
前記生成された暗号データを送信する情報伝送方法。
【請求項１２】
送信装置から暗号データを受信し、
受信装置に接続された測定部から、試料に含まれる一以上の成分についての情報を取得し、
前記情報に基づく鍵の生成方法を特定し、
前記取得した情報と前記情報に基づく鍵の生成方法とに基づいて鍵を生成し、
前記受信された暗号データを、前記生成された鍵を用いて復号する情報伝送方法。
【請求項１３】
送信装置と受信装置のそれぞれにおいて試料に含まれる一以上の成分についての情報を取得し、
前記情報に基づく鍵の生成方法を特定し、
前記取得された情報と前記情報に基づく鍵の生成方法とに基づいて、暗号化鍵および復号化鍵をそれぞれ生成し、
前記送信装置と前記受信装置との間の通信において、前記暗号化鍵を用いて暗号化されたデータの送信と、当該暗号化されたデータの前記復号化鍵を用いた復号とが実行される
ことを特徴とする情報伝送方法。
【手続補正２】
【補正対象書類名】明細書
【補正対象項目名】０００７
【補正方法】変更
【補正の内容】
【０００７】
本発明は、一の態様において、試料に含まれる一以上の成分についての情報を取得する取得部と、前記情報に基づく鍵の生成方法を特定する特定部と、前記取得部にて取得した情報と前記特定部にて特定された生成方法とに基づいて、鍵を生成する生成部と、前記生成部により生成された鍵を用いてデータを暗号化して暗号データを生成する暗号化部と、前記暗号化部により生成された暗号データを送信する送信部とを具備する情報伝送端末を提供する。
【手続補正３】
【補正対象書類名】明細書
【補正対象項目名】０００８
【補正方法】変更
【補正の内容】
【０００８】
本発明は、他の態様において、暗号データを受信する受信部と、試料に含まれる一以上の成分についての情報を取得する取得部と、前記情報に基づく鍵の生成方法を特定する特定部と、前記取得部にて取得した情報と前記特定部にて特定された生成方法とに基づいて、鍵を生成する生成部と、前記受信部により受信された暗号データを、前記生成部により生成された鍵を用いて復号する復号部とを具備する情報伝送端末を提供する。
【手続補正４】
【補正対象書類名】明細書
【補正対象項目名】０００９
【補正方法】変更
【補正の内容】
【０００９】
好ましい態様において、前記生成方法を表す情報を、各通信相手に対応付けて記憶した記憶部を具備する。
好ましい態様において、前記生成方法は、前記取得部にて取得した情報に含まれる複数の成分比のうち、前記鍵の生成に用いるものを定義する。
好ましい態様において、前記生成方法は前記取得部にて取得した情報の加工方法を定義する。
前記生成方法は、前記鍵の生成にあたって、前記取得部にて取得した情報と組み合わせて用いる情報を定義する。
好ましい態様において、前記鍵を用いて行なわれる暗号化のアルゴリズムを選択する選択部を具備し、前記暗号化部は、前記選択部が特定した方法にしたがって、前記データを暗号化する前記鍵を用いて行なわれる復号のアルゴリズムを選択する選択部を具備し、前記復号部は、前記選択部が特定した方法にしたがって、前記暗号データを復号する。
好ましい態様において、複数の選択肢をそれぞれ割り当てられた複数の項目に対してユーザがそれぞれ１つの選択肢を選択する操作を受け付ける操作部を具備し、前記生成部は、前記操作部が受け付けた操作が示す選択肢の組み合わせに応じて、前記生成方法を決定する。
好ましい態様において、時刻を示す時刻情報を取得する時刻情報取得部を具備し、前記特定部は、前記時刻情報が示す時刻が含まれる期間に応じて、前記生成方法を特定する。
【手続補正５】
【補正対象書類名】明細書
【補正対象項目名】００１０
【補正方法】変更
【補正の内容】
【００１０】
本発明は、他の観点において、送信装置に接続された測定部から、試料に含まれる一以上の成分についての情報を取得し、前記情報に基づく鍵の生成方法を特定し、前記取得された情報と該特定された生成方法とに基づいて鍵を生成し、前記生成された鍵を用いてデータを暗号化して暗号データを生成し、前記生成された暗号データを送信する情報伝送方法を提供する。
【手続補正６】
【補正対象書類名】明細書
【補正対象項目名】００１１
【補正方法】変更
【補正の内容】
【００１１】
本発明は、他の観点において、送信装置から暗号データを受信し、受信装置に接続された測定部から、試料に含まれる一以上の成分についての情報を取得し、前記情報に基づく鍵の生成方法を特定し、前記取得した情報と前記情報に基づく鍵の生成方法とに基づいて鍵を生成し、前記受信された暗号データを、前記生成された鍵を用いて復号する情報伝送方法を提供する。
【手続補正７】
【補正対象書類名】明細書
【補正対象項目名】００１２
【補正方法】変更
【補正の内容】
【００１２】
本発明は、他の観点において、送信装置と受信装置のそれぞれにおいて試料に含まれる一以上の成分についての情報を取得し、前記情報に基づく鍵の生成方法を特定し、前記取得された情報と前記情報に基づく鍵の生成方法とに基づいて、暗号化鍵および復号化鍵をそれぞれ生成し、前記送信装置と前記受信装置との間の通信において、前記暗号化鍵を用いて暗号化されたデータの送信と、当該暗号化されたデータの前記復号化鍵を用いた復号とが実行されることを特徴とする情報伝送方法を提供する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【国際調査報告】
2013015252.tif 000023
2013015252.tif 000024
2013015252.tif 000025
2013015252.tif 000026